(57)【要約】【課題】背面から放音された音声と前面から放音された音声のユーザへの到達タイミングを調整できるオーディオ再生システムを提供する。【解決手段】  オーディオ再生システムは、スピーカ装置およびリモコン装置を有する。スピーカ装置は、筐体の背面に設けられた第１スピーカユニット、筐体の上面または前面に設けられた第２スピーカユニット、第２スピーカユニットから放音される音声を遅延させる遅延部を備える。リモコン装置は、スピーカ装置の設置形態および壁までの背面距離の入力を受け付け、入力された設置形態および背面距離に基づいて遅延部の遅延時間を計算し、これをスピーカ装置に送信する。スピーカ装置は、リモコン装置から受信した遅延時間を遅延部に設定する。【選択図】図７
2015046728.tif 000002
【特許請求の範囲】
【請求項１】
背面、および、上面または前面に開口部を有する柱状の筐体と、
前記背面の開口部に設けられた第１スピーカユニットと、
前記上面または前面の開口部に設けられた第２スピーカユニットと、
前記第２スピーカユニットから放音される音声を遅延させる遅延部と、
前記筺体の背面方向の壁に対する前記筐体の配置を示す設置形態、および、前記壁との距離である背面距離の入力を受け付ける操作受付手段と、
前記操作受付手段から入力された設置形態および背面距離に基づいて前記遅延部の遅延時間を計算する計算手段と、
前記計算手段によって計算された遅延時間を前記遅延部に設定する設定手段と、
を備えたスピーカ装置。
【請求項２】
スピーカ装置およびリモコン装置を有するオーディオ再生システムであって、
前記スピーカ装置は、
背面、および、上面または前面に開口部を有する柱状の筐体と、
前記背面の開口部に設けられた第１スピーカユニットと、
前記上面または前面の開口部に設けられた第２スピーカユニットと、
前記第２スピーカユニットから放音される音声を遅延させる遅延部と、
前記リモコン装置と通信する通信部と、
を備え、
前記リモコン装置は、
前記スピーカ装置と通信する通信部と、
前記筺体の背面方向の壁に対する前記筐体の配置を示す設置形態、および、前記壁との距離である背面距離の入力を受け付ける操作画面を表示して、ユーザの操作を受け付ける操作受付手段と、
前記操作受付手段から入力された設置形態および背面距離を前記スピーカ装置に送信する送信手段と、
を備え、
前記スピーカ装置は、
前記リモコン装置から受信した設置形態および背面距離に基づいて前記遅延部の遅延時間を計算する計算手段と、
前記計算手段によって計算された前記遅延時間を前記遅延部に設定する設定手段と、
オーディオ再生システム。
【請求項３】
スピーカ装置およびリモコン装置を有するオーディオ再生システムであって、
前記スピーカ装置は、
背面、および、上面または前面に開口部を有する柱状の筐体と、
前記背面の開口部に設けられた第１スピーカユニットと、
前記上面または前面の開口部に設けられた第２スピーカユニットと、
前記第２スピーカユニットから放音される音声を遅延させる遅延部と、
前記リモコン装置と通信する通信部と、
を備え、
前記リモコン装置は、
前記スピーカ装置と通信する通信部と、
前記筺体の背面方向の壁に対する前記筐体の配置を示す設置形態、および、前記壁との距離である背面距離の入力を受け付ける操作画面を表示して、ユーザの操作を受け付ける操作受付手段と、
前記操作受付手段から入力された設置形態および背面距離に基づいて前記遅延部の遅延時間を計算する計算手段と、
前記計算手段によって計算された前記遅延時間を前記スピーカ装置に送信する送信手段と、
を備え、
前記スピーカ装置は、前記リモコン装置から受信した遅延時間を前記遅延部に設定する設定手段を備えた
オーディオ再生システム。
【請求項４】
前記スピーカ装置は、
入力されたオーディオ信号の可聴周波数帯域から、人声を含む中音域成分信号を取り出し、前記第２スピーカユニットに供給する中音域フィルタと、
前記中音域成分信号以外の低音域成分信号および高音域成分信号を取り出し、前記第１スピーカユニットに供給する低音域フィルタおよび高音域フィルタと、
前記低音域フィルタ、中音域フィルタおよび高音域フィルタの出力信号のゲインをそれぞれ独立して制御するイコライザと、
をさらに備えた請求項２または請求項３に記載のオーディオ再生システム。
【請求項５】
前記第２スピーカユニットとして、前記低音域の放音特性が抑制された中音域用スピーカを用い、
前記中音域フィルタは、前記低音域成分を含む前記中音域以下の信号成分を取り出すローパスフィルタである請求項４に記載のオーディオ再生システム。
【請求項６】
前記リモコン装置は、
前記壁の種類の入力を受け付ける操作画面を表示して、ユーザの操作を受け付ける第２操作受付手段と、
前記第２操作受付手段で入力された壁の種類に応じて前記イコライザのゲインを補正するゲイン補正手段と、
該補正されたゲインを前記スピーカ装置に送信する第２送信手段と、
をさらに備え、
前記スピーカ装置は、前記リモコン装置から受信したゲインを前記イコライザに設定する
請求項４または請求項５に記載のオーディオ再生システム。
【請求項７】
スピーカ装置と通信可能な携帯電話機のコンピュータを、
前記スピーカ装置の筺体の背面方向の壁に対する前記筐体の配置を示す設置形態、および、前記壁との距離である背面距離の入力を受け付ける操作画面を表示して、ユーザの操作を受け付ける操作受付手段、および、
前記操作受付手段から入力された設置形態および背面距離を前記スピーカ装置に送信する送信手段、
として機能させるプログラム。
【請求項８】
スピーカ装置と通信可能な携帯電話機のコンピュータを、
前記スピーカ装置の筺体の背面方向の壁に対する前記筐体の配置を示す設置形態、および、前記壁との距離である背面距離の入力を受け付ける操作画面を表示して、ユーザの操作を受け付ける操作受付手段、
前記操作受付手段から入力された設置形態および背面距離に基づいて前記スピーカ装置の遅延部の遅延時間を計算する計算手段、および、
前記計算手段によって計算された前記遅延時間を前記スピーカ装置に送信する送信手段、
として機能させるプログラム。
【請求項９】
スピーカ装置と通信可能な携帯電話機のコンピュータを、
前記スピーカ装置の筺体の背面方向の壁に対する前記筐体の配置を示す設置形態、および、前記壁との距離である背面距離の入力を受け付ける操作画面を表示して、ユーザの操作を受け付ける操作受付手段、
前記操作受付手段から入力された設置形態および背面距離に基づいて前記スピーカ装置の遅延部の遅延時間を計算する計算手段、
前記計算手段によって計算された前記遅延時間を前記スピーカ装置に送信する送信手段、
前記壁の種類の入力を受け付ける操作画面を表示して、ユーザの操作を受け付ける第２操作受付手段、
前記第２操作受付手段で入力された壁の種類に応じてスピーカ装置のイコライザのゲインを補正するゲイン補正手段、および、
該補正されたゲインを前記スピーカ装置に送信する第２送信手段、
として機能させるプログラム。
【発明の詳細な説明】
【技術分野】
【０００１】
本発明は、複数のスピーカユニットから放音された音声がユーザへ到達するタイミングの調整に関する。
【背景技術】
【０００２】
特許文献１には、部屋の角を背にして設置するコーナー設置、部屋の壁を背にして設置する壁設置など複数の設置形態に対応して、各スピーカユニットの放音タイミング（遅延時間）を制御できるスピーカユニットが提案されている。
【先行技術文献】
【特許文献】
【０００３】
【特許文献１】特開２００６−３４０３０２号公報
【発明の概要】
【発明が解決しようとする課題】
【０００４】
特許文献１のものは、コーナー設置（角置き）、壁設置（壁置き）の設定は行うものの、各スピーカユニットの遅延時間は測定によって行われており、別途測定用のマイクや測定回路等が必要であった。また、スピーカ装置を斬新なデザインにするために、一部のスピーカユニットを背面側に設けることが考えられるが、特許文献１のものは、全てのスピーカユニットが前方に向けて配列されているものであり、背面に向けて設置されたスピーカユニットと上面または前面に向けて設置されたスピーカユニットの放音タイミングを制御することは考えられていなかった。
【０００５】
そこで、本発明は、背面から放音された音声と前面から放音された音声のユーザへの到達タイミングを調整できるスピーカ装置、オーディオ再生システムおよびプログラムを提供することを目的とする。
【課題を解決するための手段】
【０００６】
この発明のスピーカ装置は、背面および上面または前面に開口部を有する柱状の筐体と、背面の開口部に設けられた第１スピーカユニットと、上面または前面の開口部に設けられた第２スピーカユニットと、第２スピーカユニットから放音される音声を遅延させる遅延部と、筺体の背面方向の壁に対する筐体の配置を示す設置形態および壁との距離である背面距離の入力を受け付ける操作受付手段と、操作受付手段から入力された設置形態および背面距離に基づいて遅延部の遅延時間を計算する計算手段と、計算手段によって計算された遅延時間を前記遅延部に設定する設定手段とを備えたことを特徴とする。
【０００７】
この発明のオーディオ再生システムは、スピーカ装置およびリモコン装置を有する。スピーカ装置は、背面、および、上面または前面に開口部を有する柱状の筐体と、背面の開口部に設けられた第１スピーカユニットと、上面または前面の開口部に設けられた第２スピーカユニットと、第２スピーカユニットから放音される音声を遅延させる遅延部と、リモコン装置と通信する通信部と、を備える。リモコン装置は、スピーカ装置と通信する通信部と、筺体の背面方向の壁に対する前記筐体の配置を示す設置形態および壁との距離である背面距離の入力を受け付ける操作画面を表示してユーザの操作を受け付ける操作受付手段と、操作受付手段から入力された設置形態および背面距離を前記スピーカ装置に送信する送信手段と、を備える。スピーカ装置は、さらに、リモコン装置から受信した設置形態および背面距離に基づいて前記遅延部の遅延時間を計算する計算手段と、計算手段によって計算された遅延時間を遅延部に設定する設定手段と、を備える。
【０００８】
この発明のオーディオ再生システムは、スピーカ装置およびリモコン装置を有する。スピーカ装置は、背面、および、上面または前面に開口部を有する柱状の筐体と、背面の開口部に設けられた第１スピーカユニットと、上面または前面の開口部に設けられた第２スピーカユニットと、第２スピーカユニットから放音される音声を遅延させる遅延部と、リモコン装置と通信する通信部と、を備える。リモコン装置は、スピーカ装置と通信する通信部と、筺体の背面方向の壁に対する前記筐体の配置を示す設置形態および壁との距離である背面距離の入力を受け付ける操作画面を表示してユーザの操作を受け付ける操作受付手段と、操作受付手段から入力された設置形態および背面距離に基づいて遅延部の遅延時間を計算する計算手段と、計算手段によって計算された遅延時間をスピーカ装置に送信する送信手段と、を備える。スピーカ装置は、リモコン装置から受信した遅延時間を遅延部に設定する設定手段をさらに備える。
【０００９】
スピーカ装置は、入力されたオーディオ信号の可聴周波数帯域から、人声を含む中音域成分信号を取り出し、前記第２スピーカユニットに供給する中音域フィルタと、中音域成分信号以外の低音域成分信号および高音域成分信号を取り出し、第１スピーカユニットに供給する低音域フィルタおよび高音域フィルタと、低音域フィルタ、中音域フィルタおよび高音域フィルタの出力信号のゲインをそれぞれ独立して制御するイコライザと、をさらに備えてもよい。
【００１０】
この場合において、第２スピーカユニットとして、低音域の放音特性が抑制された中音域用スピーカを用い、中音域フィルタを低音域成分を含む中音域以下の信号成分を取り出すローパスフィルタとしてもよい。
【００１１】
リモコン装置が、壁の種類の入力を受け付ける操作画面を表示してユーザの操作を受け付ける第２操作受付手段と、第２操作受付手段で入力された壁の種類に応じてイコライザのゲインを補正するゲイン補正手段と、補正されたゲインをスピーカ装置に送信する第２送信手段と、をさらに備え、スピーカ装置が、リモコン装置から受信したゲインをイコライザに設定するようにしてもよい。
【００１２】
この発明のプログラムは、スピーカ装置と通信可能な携帯電話機のコンピュータを、スピーカ装置の筺体の背面方向の壁に対する筐体の配置を示す設置形態および壁との距離である背面距離の入力を受け付ける操作画面を表示して、ユーザの操作を受け付ける操作受付手段、および、操作受付手段から入力された設置形態および背面距離をスピーカ装置に送信する送信手段、として機能させる。
【００１３】
この発明のプログラムは、スピーカ装置と通信可能な携帯電話機のコンピュータを、スピーカ装置の筺体の背面方向の壁に対する筐体の配置を示す設置形態および壁との距離である背面距離の入力を受け付ける操作画面を表示してユーザの操作を受け付ける操作受付手段、操作受付手段から入力された設置形態および背面距離に基づいてスピーカ装置の遅延部の遅延時間を計算する計算手段、および、計算手段によって計算された遅延時間をスピーカ装置に送信する送信手段、として機能させる。
【００１４】
この発明のプログラムは、スピーカ装置と通信可能な携帯電話機のコンピュータを、スピーカ装置の筺体の背面方向の壁に対する筐体の配置を示す設置形態および壁との距離である背面距離の入力を受け付ける操作画面を表示してユーザの操作を受け付ける操作受付手段、操作受付手段から入力された設置形態および背面距離に基づいてスピーカ装置の遅延部の遅延時間を計算する計算手段、計算手段によって計算された遅延時間をスピーカ装置に送信する送信手段、壁の種類の入力を受け付ける操作画面を表示してユーザの操作を受け付ける第２操作受付手段、第２操作受付手段で入力された壁の種類に応じてスピーカ装置のイコライザのゲインを補正するゲイン補正手段、および、補正されたゲインをスピーカ装置に送信する第２送信手段、として機能させる。
【発明の効果】
【００１５】
この発明によれば、ユーザはリモコン装置にスピーカ装置の設置形態および背面距離を入力するのみで、第２スピーカユニットの遅延時間の設定を行うことができる。
【図面の簡単な説明】
【００１６】
【図１】この発明の実施形態に係るスピーカ装置の外観図
【図２】スピーカ装置の上端に設けられるヘッドピースの斜視図
【図３】スピーカ装置の設置形態の例を示す図
【図４】スピーカ装置の電子回路のブロック図
【図５】スピーカ装置の信号処理部およびスピーカ駆動部のブロック図
【図６】スピーカ装置に設けられたフィルタの特性を示す図
【図７】背面方向に設けられたスピーカユニットから放音された音声の遅延時間の計算方式を説明する図
【図８】スピーカ装置のリモコン装置として機能する携帯電話機のブロック図
【図９】携帯電話機とアプリケーションプログラムの協働で構成されるリモコン装置（ＤＴＡコントローラ）の機能ブロック図
【図１０】リモコン装置の表示画面のツリー構造を説明する図
【図１１】オプション画面とイコライザ画面を示す図
【図１２】音環境設定画面を示す図
【図１３】壁選択画面を示す図
【図１４】ゲイン補正テーブルを示す図
【発明を実施するための形態】
【００１７】
図面を参照して本発明の実施形態であるスピーカ装置について説明する。図１は、このスピーカ装置１の外観図であり、図１（Ａ）が正面図、図１（Ｂ）が右側面図、図１（Ｃ）が背面図である。
【００１８】
スピーカ装置１は、複数のスピーカが収容される筐体１１、筺体１１を床面から支持する円板状のベース１４、および、筺体１１とベース１４とを接続する棒状のピロー１３を備えている。筐体１１は、ピロー１３およびベース１４によって支持されて鉛直方向に立設される。
【００１９】
筐体１１は、略四角柱の形状をなしており、上方向に向けて若干幅が狭まっている。すなわち、正確には四角錐台形状（四角錐の頂点側（頭部）を底面に平行な面で水平に切削した形状）である。筐体１１の側面は、鉛直線に対して２パーセント傾斜している。スピーカ装置１は、２つの側面に挟まれる稜線部１９を正面（ユーザ方向）にして設置される。以下の説明では、正面方向を前方、背面方向を後方と呼ぶ。また、左右の方向は、正面方向のユーザからスピーカ装置１を見たときの方向を用いる。
【００２０】
このスピーカ装置１では、図１（Ｂ），（Ｃ）に示されるように、スピーカユニット２１０Ｌ、Ｒが後ろ向きに設けられており、筺体１１の背面側にスピーカグリル１２が設けられている。これにより、スピーカ装置１の正面側には、スピーカグリル１２を設ける必要がなくなる。
【００２１】
筐体１１の内部は、２枚の仕切り板によって仕切られており、上下方向に３つの空間を有する構造になっている。上部の空間がスピーカユニット２１１Ｃを収容する中音域用スピーカボックス３０、中央部の空間がスピーカユニット２１０Ｌ、Ｒを収容するステレオスピーカボックス３１、下部の空間が電子回路１５を収容する回路ボックス３２として用いられる。
【００２２】
また、中音域用スピーカボックス３０は上面に開口しており、この開口部にスピーカユニット２１１Ｃが上向きに取り付けられている。スピーカユニット２１１Ｃのさらに上には、スピーカユニット２１１Ｃから放音された音声を前方に反射するヘッドピース１０が設けられている。
【００２３】
スピーカユニット２１０Ｌ，Ｒは、低音域と高音域の放音を担当する左右チャンネル別のフルレンジのスピーカユニットである。スピーカユニット２１１Ｃは、中音域の放音を担当する左右チャンネル共通のミッドレンジ用のスピーカユニットである。ここで、中音域は主として人の声をカバーする周波数帯域であり、例えば１００Ｈｚ〜７０００Ｈｚの範囲である。なお、中音域はこれに限定されない。たとえば、電話回線の使用帯域である３００〜３４００Ｈｚとしてもよい。高音域は中音域よりも高い周波数帯域、低音域は中音域よりも低い周波数帯域である。以下、中音域の下限周波数をＦＬと呼び、中音域の上限周波数をＦＨと呼ぶ。
【００２４】
図２は、ヘッドピースの斜視図である。ヘッドピース１０は、放音口１１０を有する上部の本体部１０１と、本体部１０１の上面に配置された天板１０２と、下部のスカート１０６を備えている。本体部１０１の形状は略立方体である。ヘッドピース１０の底板１０３には、その中央部に円形の開口部１０３Ａが形成されている。開口部１０３Ａの口径は、スピーカユニット２１１Ｃの口径とほぼ同じである。
【００２５】
本体部１０１の内側には、背板１０４である２つの側面１１３，１１４に挟まれた辺の下側の頂点１０５Ｃと、放音口１１０である（切り欠かかれた）２つの側面１１１、１１２の上辺とをつなぐ２つの三角形の面であるリフレクタ１０５（１０５Ａ，１０５Ｂ）が形成されている。本体部１０１は略立方体であるため、リフレクタ１０５の左右の面１０５Ａ、１０５Ｂは、それぞれ底板１０３などの水平面に対して約４５度の角度をなしている。
【００２６】
スピーカユニット２１１Ｃの放音面は、ヘッドピース１０の下方かつ同じ中心軸で真上に向けて設置されている。また、ヘッドピース１０のリフレクタ１０５の面は、スピーカユニット２１１Ｃの放音面に対向して配置され、その傾斜角度は約４５度である。そのため、スピーカユニット２１１Ｃから上方向に放音された音声は、図２に示す矢印１３０のようにリフレクタ１０５で反射されて左右の斜め前方に広がるように伝搬される。これにより、スピーカユニット２１１Ｃから音声が上向きに放音されても、リフレクタ１０５で反射されて筐体１１側面の前面側から前方左右方向に、損失少なく伝搬することが可能になる。
【００２７】
図３は、スピーカ装置１の設置形態の例を示す図である。図３（Ａ）は、スピーカ装置１を部屋の角（コーナー）８１（図示が無い）を背にして設置した例を示す図である。この設置形態では、スピーカ装置１の背後に、角８１の左右の壁８０Ｌ，８０Ｒが、スピーカ装置１の前後方向から約４５度の角度で反射面として位置する。また、図３（Ｂ）は、スピーカ装置１を、壁８０を背にして設置した例を示す図である。この設置形態では、スピーカ装置１の背後に、壁８０が、スピーカ装置１の前後方向と約９０度の角度で反射面として位置する。
【００２８】
スピーカ装置１に音声信号が入力されたとき、スピーカユニット２１０Ｌ、Ｒから、左右チャンネルの音声がそれぞれ放音される。スピーカユニット２１０Ｌ、Ｒは背面方向（壁向きに）設けられているため、スピーカ装置１が図３に示すように設置された場合、スピーカユニット２１０Ｌ、Ｒから放音された左右チャンネルの音声は、背面方向の壁８０（Ｌ，Ｒ）で反射して前方（室内方向）に伝搬する。このため、スピーカユニット２１０Ｌ，Ｒから放音された音声は、上面のスピーカユニット２１１Ｃから放音され、直接前方に伝搬する音声よりも、壁８０で反射する距離を伝搬する時間遅れる。そこで、スピーカ装置１の信号処理部２０１（図５参照）では、スピーカユニット２１１Ｃに入力するオーディオ信号を、上記の壁８０で反射する距離分の時間遅延させることにより、スピーカユニット２１０Ｌ、Ｒ、および、スピーカユニット２１１Ｃによって放音された音声がユーザに到達するタイミングを一致させている。
【００２９】
また、スピーカ装置１が図３に示すように設置された場合、スピーカユニット２１０Ｌ、Ｒから放音された左右チャンネルの音声は、背面方向の壁８０（Ｌ，Ｒ）で反射して前方（室内方向）に伝搬する。スピーカユニット２１０Ｌ、Ｒから放音された音声のうち、高音域の音声は直進性が強いため壁で良く反射し、聴取者にステレオ感を与えることに寄与する。また、低音域の音声は聴感上定位感が強くないため、壁面付近で鳴っているように聴こえてもユーザ（聴取者）にとって違和感が少ない。一方、中音域の音声は、人の話し声や歌声を含む音域であり、壁面で反射させると減衰が大きく、いわゆる「こもり」となって音声の明瞭度を低下させてしまう。そこで、このスピーカ装置１は、左右チャンネルの音声から中音域の成分を抽出し、この中音域の音声を上向きのスピーカユニット２１１Ｃから放音する。スピーカユニット２１１Ｃは上向きであるが、その上に設けられているヘッドピース１０により、放音された中音域の音声は良好に前方に伝搬する。これにより、ユーザに、低音域から高音域までの音声を違和感なく明瞭に聴かせることが可能になる。
【００３０】
筺体１１の回路ボックス３２には電子回路１５が内蔵されている。図４は、電子回路１５の主要部のブロック図である。また、図５は、電子回路１５の信号処理部２０１およびスピーカ駆動部２０２の詳細なブロック図である。図４において、電子回路１５は、制御部５０、信号処理部２０１、スピーカ駆動部２０２、入力選択部５３、Ｂｌｕｅｔｏｏｔｈ（登録商標）通信回路５４、ケーブルコネクタ５５などを有している。
【００３１】
制御部５０はマイコンで構成される。制御部５０には、Ｂｌｕｅｔｏｏｔｈ通信回路５４が接続されている。Ｂｌｕｅｔｏｏｔｈ通信回路５４は、コントローラ機能を有する多機能携帯電話機（スマートフォン）などの機器から受信したコマンドを制御部５０に入力する。制御部５０は、Ｂｌｕｅｔｏｏｔｈ通信回路５４から入力されたコマンドに基づいて、信号処理部２０１の設定や入力選択部５３が入力する信号の選択などを行う。入力選択部５３にはＢｌｕｅｔｏｏｔｈ通信回路５４およびケーブルコネクタ５５が接続されている。入力選択部５３は、制御部５０から入力される選択信号により、Ｂｌｕｅｔｏｏｔｈ通信回路５４またはケーブルコネクタ５５のいずれかを選択し、そこから入力されるオーディオ信号を信号処理部２０１に入力する。
【００３２】
信号処理部２０１は、入力選択部５３から入力された（２チャンネルステレオ）のオーディオ信号の音質を調整するとともに、左右チャンネルの信号から中音域の成分を取り出してこれを合成し、第３チャンネル（センタチャンネル）のオーディオ信号として出力する。また、信号処理部２０１は、センタチャンネルのオーディオ信号を遅延させることにより、各スピーカユニット２１０Ｌ，Ｒおよび２１１Ｃから放音される音声のユーザへの到達時間を一致させる。図５においてスピーカ駆動部２０２は、３チャンネルのアンプ２２６Ｌ，Ｒおよびアンプ２２９を有しており、それぞれ左チャンネル、右チャンネルおよび中音域のオーディオ信号を増幅し、増幅した信号をそれぞれスピーカユニット２１０Ｌ、Ｒおよびスピーカユニット２１１Ｃに出力する。信号処理部２０１およびスピーカ駆動部２０２の詳細を、図５を参照して説明する。
【００３３】
図５は、スピーカ装置１の信号処理部２０１およびスピーカ駆動部２０２のブロック図である。このブロック図において、信号処理部２０１は、ローパスフィルタ２２０Ｌ，２２０Ｒ，２２７Ｌ，２２７Ｒ、ハイパスフィルタ２２１Ｌ，２２１Ｒ、ゲイン調整部２２３Ｌ，２２３Ｒ，２２４Ｌ，２２４Ｒ，２２８Ｌ，２２８Ｒ、加算器２２５Ｌ，２２５Ｒ，２３０Ｃ、および、遅延部２３１Ｃを有している。また、スピーカ駆動部２０２は、アンプ２２６Ｌ，２２６Ｒ，２２９Ｃを有している。
【００３４】
左チャンネルオーディオ信号入力部２１２Ｌは、左チャンネルのオーディオ信号を入力し、ローパスフィルタ２２０Ｌ，２２７Ｌ、および、ハイパスフィルタ２２１Ｌに供給する。ローパスフィルタ２２０Ｌは、中音域の下限周波数ＦＬ以下の信号を通過させるフィルタである。ローパスフィルタ２２０Ｌの周波数特性を図６（Ｂ）に示す。左側の曲線ＬＰＦがローパスフィルタ２２０Ｌの特性である。ローパスフィルタ２２０Ｌを通過した低音域のオーディオ信号は、ゲイン調整部２２３Ｌでゲインが調整されたのち加算器２２５Ｌに入力される。ハイパスフィルタ２２１Ｌは、中音域の上限周波数ＦＨ以上の信号を通過させるフィルタである。ハイパスフィルタ２２１Ｌの周波数特性を図６（Ｂ）に示す。右側の曲線ＨＰＦがハイパスフィルタ２２１Ｌの特性である。ハイパスフィルタ２２１Ｌを通過した高音域のオーディオ信号は、ゲイン調整部２２４Ｌでゲインが調整されたのち加算器２２５Ｌに入力される。加算器２２５Ｌは、左チャンネルの低音域および高音域のオーディオ信号を加算合成する。この加算合成された  オーディオ信号は、アンプ２２６Ｌで増幅されてスピーカユニット２１０Ｌに供給される。なお、ゲイン調整部２２３Ｌ、２２４Ｌは、それぞれローパスフィルタ２２０Ｌ、ハイパスフィルタ２２１Ｌに含まれていてもよい。
【００３５】
右チャンネルオーディオ信号入力部２１２Ｒは、右チャンネルのオーディオ信号を入力し、ローパスフィルタ２２０Ｒ，２２７Ｒ、および、ハイパスフィルタ２２１Ｒに供給する。
【００３６】
ローパスフィルタ２２０Ｒは、中音域の下限周波数ＦＬ以下の信号を通過させるフィルタである。ローパスフィルタ２２０Ｒの周波数特性も、ローパスフィルタ２２０Ｌと同様に図６（Ｂ）の左側に示すものである。ローパスフィルタ２２０Ｒを通過した低音域のオーディオ信号は、ゲイン調整部２２３Ｒでゲインが調整されたのち加算器２２５Ｒに入力される。ハイパスフィルタ２２１Ｒは、中音域の上限周波数ＦＨ以上の信号を通過させるフィルタである。ハイパスフィルタ２２１Ｒの周波数特性も、ハイパスフィルタ２２１Ｌと同様に図６（Ｂ）の右側に示すものである。ハイパスフィルタ２２１Ｒを通過した高音域のオーディオ信号は、ゲイン調整部２２４Ｒでゲインが調整されたのち加算器２２５Ｒに入力される。加算器２２５Ｒは、右チャンネルの低音域および高音域のオーディオ信号を加算合成する。この加算合成された  オーディオ信号は、アンプ２２６Ｒで増幅されてスピーカユニット２１０Ｒに供給される。なお、ゲイン調整部２２３Ｒ、２２４Ｒは、それぞれローパスフィルタ２２０Ｒ、ハイパスフィルタ２２１Ｒに含まれていてもよい。
【００３７】
また、左チャンネルのローパスフィルタ２２７Ｌは、中音域の上限周波数ＦＨ以下の信号を通過させるフィルタである。ローパスフィルタ２２７Ｌの周波数特性を図６（Ａ）に示す。ローパスフィルタ２２７Ｌを通過したオーディオ信号は、ゲイン調整部２２８Ｌでゲインが調整され、加算器２３０Ｃに入力される。右チャンネルのローパスフィルタ２２７Ｒは、中音域の上限周波数ＦＨ以下の信号を通過させるフィルタである。ローパスフィルタ２２７Ｒの周波数特性も、ローパスフィルタ２２７Ｌと同様に図６（Ａ）に示すものである。ローパスフィルタ２２７Ｒを通過したオーディオ信号は、ゲイン調整部２２８Ｒでゲインが調整され、加算器２３０Ｃに入力される。加算器２３０Ｃは、左右チャンネルの中音域のオーディオ信号を加算合成する。
【００３８】
この加算合成されたオーディオ信号は、遅延部２３１Ｃに入力される。遅延部２３１Ｃは、このオーディオ信号を所定の遅延時間だけ遅延して出力する。遅延時間は、スピーカユニット２１０Ｌ，Ｒから放音された音声が壁８０で反射してスピーカ装置１の設置位置付近まで戻ってくるまでの時間に設定される。これにより、スピーカユニット２１０Ｌ，Ｒから放音された音声とスピーカユニット２１１Ｃから放音された音声のユーザ到達タイミングを一致させることができる。遅延部２３１Ｃで遅延されたオーディオ信号は、アンプ２２９Ｃで増幅されてスピーカユニット２１１Ｃに供給される。なお、ゲイン調整部２２８Ｌ、２２８Ｒは、それぞれローパスフィルタ２２７Ｌ、ローパスフィルタ２２７Ｒに含まれていてもよい。
【００３９】
ローパスフィルタ２２７Ｌ、Ｒから出力されたオーディオ信号には低音域の成分も含まれるが、スピーカユニット２１１Ｃがミッドレンジ用のスピーカユニットで低音域の音声がでない特性であるため、スピーカユニット２１１Ｃから放音される音声は、上述の図２（Ａ）のフィルタ特性を点線のスピーカ特性で修正した中音域のみの音声となる。なお、ローパスフィルタ２２７Ｌ、Ｒは、中音域のバンドパスフィルタでもよい。
【００４０】
なお、遅延部２３１Ｃの遅延量（遅延時間）、および、ゲイン調整部２２３Ｌ，Ｒ、２２４Ｌ，Ｒ、２２８Ｌ，Ｒのゲインは、制御部５０により設定される。低音域のゲインを調整するゲイン調整部２２３Ｌ，Ｒ、高音域のゲインを調整するゲイン調整部２２４Ｌ，Ｒ、中音域のゲインを調整するゲイン調整部２２８Ｌ，Ｒのゲインを独立して制御することにより、ゲイン調整部２２３Ｌ，Ｒ、ゲイン調整部２２４Ｌ，Ｒ、および、ゲイン調整部２２８Ｌ，Ｒをイコライザとして機能させることが可能である。隣接する音域を別々のスピーカユニットから放音しているので、高音域、中音域、低音域のゲイン調整した場合に、隣接する音域に影響を与えることなく独立してゲイン調整された音声が放音される。
【００４１】
このように、低音域の成分信号と高音域の成分信号を同じアンプで増幅して同じスピーカユニット２１０から放音するとともに、中音域の成分信号を低音域の成分信号と別のアンプで増幅し別のスピーカユニットから放音することにより、２ウェイのスピーカ装置で、高音域、中音域、低音域を分離することができ、独立したゲイン調整が容易になる。また、例えば低音域をブーストする場合、中低音／高音で系統を分ける従来のスピーカ装置では、中音域も低音域のブーストの影響を受けてゲインが上昇してしまい、中音域の音質が変化するうえ、中低音を増幅するアンプに負担を掛けることになるが、この実施形態のスピーカ装置１では、低音域をブーストしても中音域に影響を与えることがなく、音質が変化することや、スピーカユニットに負担を掛けることがない。
【００４２】
図７は、遅延部２３１Ｃに設定される遅延量（遅延時間）の算出方式を説明する図である。図７（Ａ）は設置形態が「角置き」の場合の遅延量の算出方式を説明する図、図７（Ｂ）は設置形態が「壁置き」の場合の遅延量の算出方式を説明する図である。ここで、Ａはスピーカ装置１の平面形状（略正方形）の対角線の１／２の長さ、Ｂはスピーカ装置１の平面形状の中心からスピーカユニット２１０（Ｌ／Ｒ）までの長さであり、Ｂ＝Ａ＊ｃｏｓ４０°である。すなわち、スピーカユニット２１０は筺体１１の前後方向の対角線から４０°の方向に向けて設けられている。
【００４３】
これらスピーカ装置１の平面サイズＡ，Ｂは予め記憶されている。またスピーカ装置１の背後の壁８０（コーナー８１）までの距離Ｌ、および、設置形態は、ユーザによって入力される。設置形態と壁８０までの距離Ｌが入力されると、以下の演算式でスピーカユニット２１０と壁面との距離Ｘを算出する。式１は、角置きの場合の演算式、式２は、壁置きの場合の演算式である。距離Ｘは、スピーカユニット２１０から放音された音声が壁８０に到達するまでの距離に相当する。
【００４４】
Ｘ＝（（Ｌ＋Ａ）／ｃｏｓ４５°）／ｃｏｓ５°  ・・（式１）
【００４５】
Ｘ＝（（Ｌ＋Ａ）／ｃｏｓ４０°・・（式２）
【００４６】
そして、この実施形態では、この算出された距離Ｘの２倍（２Ｘ）を、近似的に、スピーカユニット２１０から放音された音声がユーザに到達するまでの経路とスピーカユニット２１１から放音された音声がユーザに到達するまでの経路の距離差とみなし、この距離差２Ｘをキャンセルする遅延時間Ｄを算出して、遅延部２３１Ｃに設定する。なお、「スピーカユニット２１０から放音された音声がユーザに到達するまでの経路とスピーカユニット２１１から放音された音声がユーザに到達するまでの経路の距離差」をキャンセルするための遅延時間の算出方式は、図７に説明した方式に限定されない。
【００４７】
設置形態、および、壁８０までの距離Ｌは、スピーカ装置１とＢｌｕｅｔｏｏｔｈで通信するリモコン装置を用いて、ユーザにより入力される。リモコン装置としては、たとえば、コントローラアプリケーションプログラムがインストールされた多機能携帯電話機（スマートフォン）が用いられる。ユーザによって入力された設置形態および距離Ｌに基づく、距離Ｘおよび遅延時間Ｄの算出は、リモコン装置が行ってもよく、スピーカ装置１の制御部５０が行ってもよい。また、これらの演算をリモコン装置と制御部５０が分担してもよい。
【００４８】
図８は、リモコン機能を備えた多機能携帯電話機（以下、単に携帯電話機と呼ぶ）スピーカ装置１とＢｌｕｔｏｏｔｈで通信し、音響設定を行うＤＴＡコントローラアプリケーションプログラム３５０が実行される携帯電話機３００のブロック図である。なお、ＤＴＡコントローラアプリケーションプログラム３５０が実行されている携帯電話機３００は、機能的に図９に示すＤＴＡコントローラ４００を構成する。
【００４９】
携帯電話機３００は、バス３２６上に、制御部３２０、操作部３３０、メディアインタフェース３３１、３Ｇ／４Ｇ通信回路３３２、Ｂｌｕｅｔｏｏｔｈ通信回路３３３、および、Ｗｉ−Ｆｉ通信回路３３４を有している。制御部３２０は、ＣＰＵ３２１、ＲＯＭ（フラッシュメモリ）３２２、ＲＡＭ３２３、画像プロセッサ３２４および音声プロセッサ３２５を含んでいる。画像プロセッサ３２４には、ビデオＲＡＭ（ＶＲＡＭ）３４０が接続され、ＶＲＡＭ３４０には表示部３４１が接続されている。表示部３４１は、液晶のディスプレイを含み、待ち受け画面や電話番号などを表示する。また、ＤＴＡコントローラ４００の画面も表示部３４１に表示される。音声プロセッサ３２５には、Ｄ／Ａコンバータを含むアンプ３４２が接続され、アンプ３４２にはスピーカ３１６が接続されている。
【００５０】
画像プロセッサ３２４は、待ち受け画面や電話番号等などの種々の映像を生成するＧＰＵ（Ｇｒａｐｈｉｃｓ  Ｐｒｏｃｅｓｓｉｎｇ  Ｕｎｉｔ，グラフィックス・プロセッシング・ユニット）を備えている。画像プロセッサ３２４は、ＤＴＡコントローラアプリケーションプログラム３５０が起動された場合には、ＣＰＵ３２１の指示に従って図１１〜１３に示すようなＤＴＡコントローラの画像を生成し、これをＶＲＡＭ３４０上に展開する。ＶＲＡＭ３４０上に展開された画像は表示部３４１に表示される。
【００５１】
音声プロセッサ３２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ３２５は、デコード／生成した音声をアンプ３４２に出力する。アンプ３４２は、この音声信号を増幅してスピーカ３１６に出力する。
【００５２】
３Ｇ／４Ｇ通信回路３３２は、携帯電話通信網を介して、音声通話およびデータ通信を行う。データ通信によってＤＴＡコントローラなどのアプリケーションプログラムのダウンロードが行われる。なお、アプリケーションプログラムの取得は、３Ｇ／４Ｇ通信でダウンロードするのみならず、Ｗｉ−Ｆｉ通信やＵＳＢなどのインタフェース経由で取得するようにしてもよい。
【００５３】
Ｂｌｕｅｔｏｏｔｈ通信回路３３３は、相手装置として選択設定した（ペアリングした）機器と通信する。ＤＴＡコントローラアプリケーションプログラム３５０（ＤＴＡコントローラ４００）は、スピーカ装置１と通信し、上述の設置形態や距離Ｌを送信する。
【００５４】
Ｗｉ−Ｆｉ通信回路３３４は、無線アクセスポイントとの間でＩＥＥＥ８０２．１１ｇ規格の無線通信を行う。スピーカ装置１との通信は、ＤＬＮＡ（Ｄｉｇｉｔａｌ  Ｌｉｖｉｎｇ  Ｎｅｔｗｏｒｋ  Ａｌｌｉａｎｃｅ）であってもよい。
【００５５】
操作部３３０は、表示部３４１上に形成されたタッチパネルを含み、タッチパネル上のタッチ操作、フリック操作を検出する。メディアインタフェース３３１にはメモリカード３１５が接続される。メモリカード３１５は、たとえばマイクロＳＤカードである。３Ｇ／４Ｇ通信回路３３２によってサーバからダウンロードされたアプリケーションプログラムは、メモリカード３１５またはＲＯＭ３２２に保存される。この携帯電話機３００では、図８に示すように、ＤＴＡコントローラアプリケーションプログラム３５０がメモリカード３１５に保存されている。なお、ＤＴＡコントローラアプリケーションプログラム３５０は、プログラム本体に加えてプログラムの実行に必要なデータを含んでいる。プログラムの実行に必要なデータは、たとえば、図１１〜１３に示す画面を表示するための画像データや、図１４に示すゲイン補正テーブルなどである。
【００５６】
ＲＯＭ３２２には、この携帯電話機３００の通話やアプリケーションプログラムを実行するための基本プログラムが記憶されている。また、ＲＯＭ３２２はフラッシュメモリであり、基本プログラムのほか、ダウンロードされたアプリケーションプログラムなどを記憶することも可能である。ＲＡＭ３２３には、ＣＰＵ３２０がＤＴＡコントローラアプリケーションプログラム３５０を実行する際に使用されるワークエリアが設定される。
【００５７】
携帯電話機３００は、メモリカード３１５に保存されているＤＴＡコントローラアプリケーションプログラム３５０との協働によって、図９に示すようなＤＴＡコントローラ４００を構成し、Ｂｌｕｅｔｏｏｔｈ経由でスピーカ装置１にメッセージを送信してスピーカ装置１を制御する。
【００５８】
図９の機能ブロック図を参照して、携帯電話機３００（ハードウェア）にＤＴＡコントローラアプリケーションプログラム３５０が読み込まれることによって実現されるＤＴＡコントローラ４００について説明する。ＤＴＡコントローラ４００は、操作画面表示部４１０、操作検出部４２０、メッセージ編集送信部４３０および状態取得部４４０を有している。
【００５９】
操作画面表示部４１０は、制御部３２０、ＶＲＡＭ３４０、表示部３４１およびＤＴＡコントローラアプリケーションプログラム３５０の協働によって実現され、携帯電話機３００の表示部３４１に、各種の操作画面を表示する。また、操作検出部４２０は、制御部３２０、操作部３３０およびＤＴＡコントローラアプリケーションプログラム３５０の協働によって実現され、表示部３４１に表示された操作画面に対する操作（たとえば、設置形態の選択操作や距離Ｌの入力操作）を検出する。検出された操作情報は、操作画面表示部４１０、メッセージ編集送信部４３０などに入力される。
【００６０】
メッセージ編集送信部４３０は、制御部３２０、Ｂｌｕｅｔｏｏｔｈ通信回路３３３およびＤＴＡコントローラアプリケーションプログラム３５０の協働によって実現される。メッセージ編集送信部４３０は、操作検出部４２０から入力された設置形態、距離Ｌなどの操作情報に基づき、その操作情報に対応するメッセージを編集する。そして、そのメッセージをスピーカ装置１に送信する。設置形態および距離Ｌに基づく距離Ｘおよび遅延時間Ｄの演算を、ＤＴＡコントローラ４００が行う場合、メッセージは遅延時間Ｄ（および距離Ｘ）を含む。上記演算をスピーカ装置１の制御部５０が行う場合には、メッセージは、設置形態および距離Ｌを含む。
【００６１】
状態取得部４４０は、制御部３２０、Ｂｌｕｅｔｏｏｔｈ通信回路３３３およびＤＴＡコントローラアプリケーションプログラム３５０の協働によって実現される。状態取得部４４０は、スピーカ装置１に対して問い合わせを行い、スピーカ装置１の動作状態を取得する。動作状態とは、設置形態、距離Ｌ、上述のゲイン調整部２２３Ｌ，Ｒ、ゲイン調整部２２４Ｌ，Ｒおよびゲイン調整部２２８Ｌ，Ｒで構成されるイコライザの設定内容などである。取得された動作状態は、図１２などに示す操作画面の初期値に反映される。
【００６２】
図１０は、ＤＴＡコントローラ４００の表示画面のツリー構造を示す図である。図１１〜図１３は、表示画面のうちのオプション画面の例を示す図である。
【００６３】
図１０において、ＤＴＡコントローラ４００が起動すると、操作画面表示部４１０により、表示部３４１上にトップ画面５０１が形成される。トップ画面５０１には、再生ボタン５０２、スケジュールボタン５０３、設定ボタン５０４が表示される。トップ画面５０１で再生ボタン５０２がタップ（短く押す操作）されると、表示部３４１上に形成される画面がトップ画面５０１から再生画面５１０に移行する。再生画面５１０には、ソース機器選択ウィンドウ５１１および操作ボタン群５１２が表示される。ソース機器選択ウィンドウ５１１には、複数のソース機器（たとえば、Ｂｌｕｔｏｏｔｈで選択している機器、ケーブルコネクタ５５で接続している機器）が表示される。ユーザは、これらの機器のうち、所望のものをタップして選択する。そうすると、その選択された機器を操作するための操作ボタン群５１２が表示部３４１に表示される。
【００６４】
また、再生画面５１０にはオプションボタン５１３も表示される。オプションボタン５１３は、画面を上述の設置形態や距離Ｌを入力するためのオプション画面５２０に移行させるためのボタンである。オプションボタン５１３がタップされると、表示部３４１上に形成される画面が再生画面５１０からオプション画面５３０に移行する。
【００６５】
なお、トップ画面５０１でスケジュールボタン５０３がタップされると、表示部３４１上に形成される画面が、トップ画面５０１から、スピーカ装置１の再生や照明のスケジュールを週単位で設定するスケジュール画面５２０に移行する。また、トップ画面５０１で設定ボタン５０４がタップされると、表示部３４１上に形成される画面が、トップ画面５０１から、Ｂｌｕｅｔｏｏｔｈのペアリング処理や時計の同期などを行うための設定画面５２１に移行する。
【００６６】
図１１（Ａ）は、表示部３４１上に形成されたオプション画面５３０を示す図である。オプション画面５３０には、音環境ボタン５３１、ＥＱ（音調整）ボタン５３２、および、戻りボタン５３３が表示される。音環境ボタン５３１は、表示部３４１上に形成される画面を、図１２に示す音環境設定画面５４０に移行させるためのボタンである。音環境設定画面５３１は、上述の設置形態や距離Ｌ入力するための画面である。ＥＱボタン５３２は、表示部３４１上に形成される画面を、図１１（Ｂ）に示すイコライザ画面５６０に移行させるためのボタンである。また、戻りボタン５３３は、表示部３４１上に形成される画面を、再生画面５１０に戻すためのボタンである。
【００６７】
図１１（Ｂ）において、イコライザ画面５６０には、低音域ゲイン調整部５６１、中音域ゲイン調整部５６２、高音域ゲイン調整部５６３、および、フラットボタン５６４が表示される。低音域ゲイン調整部５６１は、設定されているゲインを示す棒グラフ５６１Ａ、アップボタン５６１Ｕ、ダウンボタン５６１Ｄを含む。ユーザによってアップボタン５６１Ｕが押し下げ操作されると、その操作時間または回数に応じて低音域のゲインが上昇し、棒グラフ５６１Ａの着色部が上方向に伸びてゆく、または、下方向に伸びていたものが縮んでゆく。ユーザによってダウンボタン５６１Ｄが押し下げ操作されると、その操作時間または回数に応じて低音域のゲインが下降し、棒グラフ５６１Ａの着色部が下方向に伸びてゆく、または、上方向に伸びていたものが縮んでゆく。中音域ゲイン調整部５６２、高音域ゲイン調整部５６３も、低音域ゲイン調整部５６１と構成および動作は同様である。また、フラットボタン５６４がタップされると、低音域、中音域、高音域の全てのゲインが０ｄＢ（グラフの中央）にリセットされる。ユーザによって、このイコライザ画面が操作されると、その操作によって設定されたゲインを、メッセージ編集送信部４３０が、リアルタイムにスピーカ装置１に送信する。
【００６８】
図１２において、音環境設定画面５４０には、配置選択ボタン５４１（５４１Ａ，５４１Ｂ，５４１Ｃ）、距離入力部５４２、壁選択ボタン５４４、および、戻りボタン５４５が表示される。配置選択ボタン５４１（５４１Ａ，５４１Ｂ，５４１Ｃ）は、スピーカ装置１の設置形態を入力するボタンである。ボタン５４１Ａは、スピーカ装置１が図７（Ａ）に示した角置きの場合にユーザによりタップされる。ボタン５４１Ｃは、スピーカ装置１が図７（Ｂ）に示した壁置きの場合にユーザによりタップされる。また、ボタン５４１Ｂは、スピーカ装置１が、角置きと壁置きの中間的な置き方、すなわち、部屋の角で壁を背に設置されている場合にタップされるボタンである。配置選択ボタン５４１のいずれかがタップされると、操作画面表示部４１０は、音環境設定画面５４０に選択された設置形態の平面図５４３を表示する。図１２の平面図５４３は、角置きのボタン５４１Ａがタップされたときの表示例を示している。
【００６９】
図１２において、平面図５４３には、スピーカ装置１から壁８０（角８１）のどの位置までが距離Ｌであるかが示されている。距離入力部５４２は、距離Ｌを表す棒グラフ５４２Ａ、＋ボタン５４２Ｕ、−ボタン５４２Ｄを含む。ユーザによって＋ボタン５４２Ｕが押し下げ操作されると、その操作時間または回数に応じて距離Ｌが上昇し、棒グラフ５４２Ａの着色部が右方向に伸びてゆく。また、ユーザによって−ボタン５４２Ｄが押し下げ操作されると、その操作時間または回数に応じて距離Ｌが下降し、棒グラフ５４２Ａの着色部が左方向に縮んでゆく。表示部３４１上に形成される画面が、ユーザの操作により、この音環境設定画面５４０から離れるとき、この音環境設定画面５４０で入力された設置形態および距離Ｌが確定する。
【００７０】
ＤＴＡコントローラ４００が、距離Ｘおよび遅延時間Ｄを算出する場合には、この入力された設置形態および距離Ｌに基いて、操作検出部４１０が距離Ｘおよび遅延時間Ｄを算出し、メッセージ編集操作部４３０がこの遅延時間Ｄをスピーカ装置１に送信する。スピーカ装置１では、Ｂｌｕｅｔｏｏｔｈ通信回路５４がこの遅延時間Ｄを受信して制御部５０に入力し、制御部５０が信号処理部２０１の遅延部２３１Ｃにこの遅延時間Ｄを設定する。
【００７１】
スピーカ装置１の制御部５０が、距離Ｘおよび遅延時間Ｄを算出する場合、ＤＴＡコントローラ４００のメッセージ編集操作部４３０は、入力された設置形態および距離Ｌをそのままメッセージにしてスピーカ装置１に送信する。スピーカ装置１では、Ｂｌｕｅｔｏｏｔｈ通信回路５４が設置形態および距離Ｌを受信して制御部５０に入力し、制御部５０が、距離Ｘおよび遅延時間Ｄを算出し、この遅延時間Ｄを信号処理部２０１の遅延部２３１Ｃにこの遅延時間Ｄを設定する。
【００７２】
また、音環境設定画面５４０で壁選択ボタン５４４がタップされると、表示部３４１上に形成される画面が、音環境設定画面５４０から、図１３に示す壁選択画面５５０に移行する。壁選択画面５５０には、壁選択ボタン５５１および低音域ゲイン調整部５５２が表示される。この壁選択画面５５０は、壁の種類によって音声の反射効率が異なるため、ユーザにスピーカ装置１の背後の壁８０の種類を入力させ、これによってイコライザを補正するための画面である。例えば、選択された壁が反射率が低い材質の場合は低音を強調し、反射率が高い材質の場合は低音の強調を抑えるなどの処理をスピーカ装置１に行わせるための設定画面である。
【００７３】
壁選択ボタン５５１は、スピーカ装置１の背後にある壁の種類（材質）を選択するボタンであり、以下の４種類のボタン、中空の壁を示す「間仕切り壁・ドア」ボタン５５１Ａ、中実の硬い壁を示す「コンクリート壁」ボタン５５１Ｂ、紙または布の仕切りを示す「襖・障子」ボタン５５１Ｃ、および、その他の壁または不明の場合に操作されるその他ボタン５５１Ｄを含んでいる。
【００７４】
そして、ＤＴＡコントローラ４００（メッセージ編集送信部４３０または状態取得部４４０）は、図１４に例示するようなゲイン補正テーブルを記憶している。ゲイン補正テーブルは、スピーカ装置１の背後の壁８０の種類に応じてイコライザの低音域、中音域および高音域のゲインの補正値が書き込まれている。ユーザによって壁選択ボタン５５１が操作され、壁の種類が選択されると、ＤＴＡコントローラ４００は、その壁の種類に応じたゲイン補正値を読み出し、図１１（Ｂ）のイコライザ画面５６０の設定値をこのゲイン補正値を加算して補正し、その補正された設定値をスピーカ装置１に送信する。
【００７５】
また、低音域ゲイン調整部５５２は、更にユーザの好みに応じて低音域のゲインを調整するための操作部であり、図１１（Ｂ）のイコライザ画面の低音域調整部５６１と同様のものである。この低音域ゲイン調整部５５２は、低音域のゲインを表す棒グラフ５５２Ａ、＋ボタン５５２Ｕ、−ボタン５５２Ｄを含んでいる。ユーザによって＋ボタン５５２Ｕが押し下げ操作されると、その操作時間または回数に応じて低音域のゲインが上昇し、棒グラフ５５２Ａの着色部が右方向に伸びてゆく。また、ユーザによって−ボタン５５２Ｄが押し下げ操作されると、その操作時間または回数に応じて低音域のゲインが下降し、棒グラフ５５２Ａの着色部が左方向に縮んでゆく。ユーザによって、このイコライザ画面が操作されると、その操作によって設定されたゲインを、メッセージ編集送信部４３０が、リアルタイムにスピーカ装置１に送信する。
【００７６】
なお、スピーカ装置１の筐体１１の形状は四角錐台形状に限るものではなく、円錐台形状、円柱状、多角柱状など概ね柱状であればよい。この実施形態のいずれの構成部も、本発明の趣旨を損なわない範囲で変形は自由である。なお、中音域用のスピーカユニット２１１Ｃは、上向きでなく、前面向きに設けられていてもよい。
【符号の説明】
【００７７】
１  スピーカ装置
１０  ヘッドピース
１１  筐体
１５  電子回路
２０１  信号処理部
２０２  スピーカ駆動部
２１０Ｌ，Ｒ、２１１Ｃ  スピーカユニット
３００  携帯電話機
４００  ＤＴＡコントローラ
【図１】
2015046728.tif 000003
【図２】
2015046728.tif 000004
【図３】
2015046728.tif 000005
【図４】
2015046728.tif 000006
【図５】
2015046728.tif 000007
【図６】
2015046728.tif 000008
【図７】
2015046728.tif 000009
【図８】
2015046728.tif 000010
【図９】
2015046728.tif 000011
【図１０】
2015046728.tif 000012
【図１１】
2015046728.tif 000013
【図１２】
2015046728.tif 000014
【図１３】
2015046728.tif 000015
【図１４】
2015046728.tif 000016